(57)【要約】【課題】ＲＦＩＤカードに記憶されている情報の確実な保護を簡易な構造にて実現することによって、故障が少なく、かつ低い製造コストで提供することが可能なＲＦＩＤカードを提供する。【解決手段】情報の記憶及び通信の制御を行うＩＣチップ部と、リーダライタとデータの送受信を行うアンテナ部と、アンテナ部の導通のオンオフを切り替えるスイッチ部とを備えたＲＦＩＤカードにおいて、ＩＣチップ部とアンテナ部はインレット基材と上面被覆層の間に設けられており、アンテナ部の一部が予め切断されて切断部が形成されており、切断部の上方に位置する上面被覆層の部分は薄く成形されて切断部との間に空隙部が形成されており、空隙部の上方に位置する上面被覆層の底部に導体部が接着されており、スイッチ部を押圧することによって、導体部が切断部に接するアンテナ部の両端部に接触してアンテナ部が導通するように構成する。【選択図】図１
2009098831.tif 000002
【特許請求の範囲】
【請求項１】
情報の記憶及び通信の制御を行うＩＣチップ部と、リーダライタとデータの送受信を行うアンテナ部と、前記アンテナ部の導通のオンオフを切り替えるスイッチ部とを備えたＲＦＩＤカードであって、
前記ＩＣチップ部及びアンテナ部はインレット基材と上面被覆層の間に設けられており、前記アンテナ部の一部は予め切断されて切断部が形成されており、前記切断部の上方に位置する上面被覆層の部分は薄く成形されて前記切断部との間に空隙部が形成されており、
前記空隙部の上方に位置する上面被覆層の底部には導体部が接着されており、前記スイッチ部を押圧することによって、前記導体部が切断部に接するアンテナ部の両端部に接触して前記アンテナ部が導通するように構成されたことを特徴とするＲＦＩＤカード。
【請求項２】
情報の記憶及び通信の制御を行うＩＣチップ部と、リーダライタとデータの送受信を行うアンテナ部と、前記アンテナ部の導通のオンオフを切り替えるスイッチ部とを備えたＲＦＩＤカードであって、
前記ＩＣチップ部及びアンテナ部はインレット基材と下面被覆層、若しくはインレット基材とインレット基材の間に設けられており、前記アンテナ部の一部は予め切断されて切断部が形成されており、前記切断部の上方の部分にはインレット基材を設けないことによって前記切断部と上面被覆層との間に空隙部が形成されており、
前記空隙部の上方に位置する上面被覆層の底部には導体部が接着されており、前記スイッチ部を押圧することによって、前記導体部が切断部に接するアンテナ部の両端部に接触して前記アンテナ部が導通するように構成されたことを特徴とするＲＦＩＤカード。
【請求項３】
情報の記憶及び通信の制御を行うＩＣチップ部と、リーダライタとデータの送受信を行うアンテナ部と、前記アンテナ部の導通のオンオフを切り替えるスイッチ部とを備えたＲＦＩＤカードであって、
前記ＩＣチップ部及びアンテナ部はインレット基材と下面被覆層、若しくはインレット基材とインレット基材の間に設けられており、前記アンテナ部の一部は予め切断されて切断部が形成されており、前記切断部の上方の部分にはインレット基材を設けず、さらに前記切断部の上方に位置する上面被覆層の部分は薄く成形されて空隙部が形成されており、
前記空隙部の上方に位置する上面被覆層の底部には導体部が接着されており、前記スイッチ部を押圧することによって、前記導体部が切断部に接するアンテナ部の両端部に接触して前記アンテナ部が導通するように構成されたことを特徴とするＲＦＩＤカード。
【請求項４】
前記ＩＣチップ部が複数備えられており、かつ各ＩＣチップ部に対応するアンテナ部及びスイッチ部がＩＣチップ部と同数備えられており、
押圧する前記スイッチ部を変更することにより、ＲＦＩＤカードの動作を切り替えられるようにしたことを特徴とする請求項１乃至請求項３記載のＲＦＩＤカード。
【請求項５】
前記ＩＣチップ部が単数備えられており、かつＩＣチップ部に対応するアンテナ部及びスイッチ部が複数備えられており、
前記ＩＣチップ部は導通したアンテナ部がどのアンテナ部かを判定する通信可能アンテナ判定部を有しており、
押圧する前記スイッチ部を変更することにより、ＲＦＩＤカードの動作を切り替えられるようにしたことを特徴とする請求項１乃至請求項３記載のＲＦＩＤカード。
【請求項６】
請求項１乃至請求項５記載のＲＦＩＤカードに対応するリーダライタであって、リーダライタに挿入後にＲＦＩＤカードを固定するロック機構が前記スイッチ部の箇所を押圧しながらロックする構成となっていることを特徴とするリーダライタ。
【発明の詳細な説明】
【技術分野】
【０００１】
本発明は、非接触で外部のリーダライタとデータの送受信を行うＲＦＩＤカードに関する。
【背景技術】
【０００２】
近年、交通や流通などの業界において、外部のリーダライタと各種の情報通信を行うＲＦＩＤカードが多く利用されている。
すなわち、リーダライタのコントローラで制御された電波をそのアンテナから送信し、送信された電波をＲＦＩＤカードのアンテナで受信することによって、リーダライタとＲＦＩＤカード間で非接触によるデータの送受信が行われるものである。
このＲＦＩＤカードは、主としてＩＣチップ部とアンテナ部からなり、ＲＦＩＤカードをリーダライタに近づけることによって、非接触の状態でＲＦＩＤカード内に記憶されている情報を読み取ったり、書き換えたりすることが可能となっているものである。
【０００３】
このように、ＲＦＩＤカードはリーダライタに接触させなくても、データの送受信が行われるように構成されているために、利用者がカードの利用を意図していない場合であっても、たまたまリーダライタがＲＦＩＤカードを所持する利用者の近くにあったために、当該リーダライタと所持しているＲＦＩＤカードとの間でデータの送受信が行われる危険性がある。そのため、情報セキュリティなどの観点からＲＦＩＤカードに記憶されている情報をスキミングなど外部からの不正なアクセスから守る必要性が求められているところである。
【０００４】
この点、暗号鍵やセキュリティプロトコルを使用するものや、ＲＦＩＤカード側にスイッチ機構を設けて、利用者がスイッチをオンにしない場合以外は、ＲＦＩＤカードがデータの送受信できないようにして、情報セキュリティの確保を図っているものが提供されている（特許文献１を参照）。
【特許文献１】特開２００３−１６８０８９号公報
【発明の開示】
【発明が解決しようとする課題】
【０００５】
しかしながら、特許文献１に記載された方法は、暗号鍵やセキュリティプロトコルを使用するものと違って、物理的にアンテナ部の導通を制御するという点で情報セキュリティ面で優れているものの、そのスイッチ部の機構部分がまだ複雑であることから、故障の発生や製造コストのアップを招くという課題がある。
【０００６】
本発明は、これらの課題を解決するために、ＲＦＩＤカードに記憶されている情報の確実な保護を簡易な構造にて実現することによって、故障が少なく、かつ低い製造コストで提供することが可能なＲＦＩＤカードを提供することを目的としている。
【課題を解決するための手段】
【０００７】
上記の課題を解決するために請求項１記載の発明は、情報の記憶及び通信の制御を行うＩＣチップ部と、リーダライタとデータの送受信を行うアンテナ部と、前記アンテナ部の導通のオンオフを切り替えるスイッチ部とを備えたＲＦＩＤカードであって、前記ＩＣチップ部及びアンテナ部はインレット基材と上面被覆層の間に設けられており、前記アンテナ部の一部は予め切断されて切断部が形成されており、前記切断部の上方に位置する上面被覆層の部分は薄く成形されて前記切断部との間に空隙部が形成されており、前記空隙部の上方に位置する上面被覆層の底部には導体部が接着されており、前記スイッチ部を押圧することによって、前記導体部が切断部に接するアンテナ部の両端部に接触して前記アンテナ部が導通するように構成されたことを特徴とする。
【０００８】
請求項２記載の発明は、情報の記憶及び通信の制御を行うＩＣチップ部と、リーダライタとデータの送受信を行うアンテナ部と、前記アンテナ部の導通のオンオフを切り替えるスイッチ部とを備えたＲＦＩＤカードであって、前記ＩＣチップ部及びアンテナ部はインレット基材と下面被覆層、若しくはインレット基材とインレット基材の間に設けられており、前記アンテナ部の一部は予め切断されて切断部が形成されており、前記切断部の上方の部分にはインレット基材を設けないことによって前記切断部と上面被覆層との間に空隙部が形成されており、前記空隙部の上方に位置する上面被覆層の底部には導体部が接着されており、前記スイッチ部を押圧することによって、前記導体部が切断部に接するアンテナ部の両端部に接触して前記アンテナ部が導通するように構成されたことを特徴とする。
【０００９】
請求項３記載の発明は、情報の記憶及び通信の制御を行うＩＣチップ部と、リーダライタとデータの送受信を行うアンテナ部と、前記アンテナ部の導通のオンオフを切り替えるスイッチ部とを備えたＲＦＩＤカードであって、前記ＩＣチップ部及びアンテナ部はインレット基材と下面被覆層、若しくはインレット基材とインレット基材の間に設けられており、前記アンテナ部の一部は予め切断されて切断部が形成されており、前記切断部の上方の部分にはインレット基材を設けず、さらに前記切断部の上方に位置する上面被覆層の部分は薄く成形されて空隙部が形成されており、前記空隙部の上方に位置する上面被覆層の底部には導体部が接着されており、前記スイッチ部を押圧することによって、前記導体部が切断部に接するアンテナ部の両端部に接触して前記アンテナ部が導通するように構成されたことを特徴とする。
【００１０】
請求項４記載の発明は、請求項１乃至請求項３記載のＲＦＩＤカードであって、前記ＩＣチップ部が複数備えられており、かつ各ＩＣチップ部に対応するアンテナ部及びスイッチ部がＩＣチップ部と同数備えられており、押圧する前記スイッチ部を変更することにより、ＲＦＩＤカードの動作を切り替えられるようにしたことを特徴とする。
【００１１】
請求項５記載の発明は、請求項１乃至請求項３記載のＲＦＩＤカードであって、前記ＩＣチップ部が単数備えられており、かつＩＣチップ部に対応するアンテナ部及びスイッチ部が複数備えられており、前記ＩＣチップ部は導通したアンテナ部がどのアンテナ部かを判定する通信可能アンテナ判定部を有しており、押圧する前記スイッチ部を変更することにより、ＲＦＩＤカードの動作を切り替えられるようにしたことを特徴とする。
【００１２】
請求項６記載の発明は、請求項１乃至請求項５記載のＲＦＩＤカードに対応するリーダライタであって、リーダライタに挿入後にＲＦＩＤカードを固定するロック機構が前記スイッチ部の箇所を押圧しながらロックする構成となっていることを特徴とする。
【発明の効果】
【００１３】
本発明に係るＲＦＩＤカードによれば、利用者がカード表面のスイッチ部を指などで押圧することによって、はじめてＲＦＩＤカード内のアンテナ部が導通して送受信可能状態となることから、利用者が当該ＲＦＩＤカードの利用を意図した場合にのみ、利用できるようにコントロールすることが可能となるという効果が発生する。
また、上面被覆層とアンテナ部の間に空隙部を設け、前記空隙部の上方に位置する上面被覆層の底部に導体部を接着させるという簡易な構造によってスイッチ部を実現しているために、故障の発生や製造コストを低く抑えることできるという効果がある。
さらに、本発明に係るＲＦＩＤカードの表面には開口部がないために、ＲＦＩＤカード内へのゴミの侵入の心配がないという効果をも有している。
【発明を実施するための最良の形態】
【００１４】
ＲＦＩＤカードに記憶されている情報の確実な保護を図るという目的を、最小の部品点数で、簡易な構造にて実現した。
【実施例１】
【００１５】
図１は、本実施例における本発明に係るＲＦＩＤカード１のＩＣチップ部２、アンテナ部３及びスイッチ部４を表す説明図である。
ＲＦＩＤカード１は非接触で外部のリーダライタとデータの送受信が可能なＲＦＩＤカード、ＩＣチップ部２は情報の記憶やデータの送受信の制御を行うＩＣチップ、アンテナ部３は外部のリーダライタとのデータの送受信を行うアンテナである。スイッチ部４は前記アンテナ部３の導通のオンオフを切り替えるスイッチである。
【００１６】
ＲＦＩＤカードは、通常、ＰＥＴフィルムなどのインレット基材１２にＩＣチップ部２，アンテナ部３を乗せ、その上下を上面被覆層１１及び下面被覆層１３を形成する樹脂シートなどで被覆加工される。
本発明に係るＲＦＩＤカード１においては、スイッチ部４の下方に位置するアンテナ部３の一部を予め切断して切断部１６を形成する。図２は、本発明に係るＲＦＩＤカードの押圧前のスイッチ部４の断面図である。このように、本実施例では、アンテナ部３の一部が予め切断されて切断部１６を形成しており、当該切断部１６に接するアンテナ部３の両端部がインレット基材１２の上面側に露出されている。
【００１７】
そのために、当該ＲＦＩＤカードは押圧前の状態では、アンテナ部３が導通していないことから送受信不能状態となり、当該ＲＦＩＤカードは使用不能状態となる。
そして、切断されている切断部１６の上方にある上面被覆層１１の箇所を一部薄く成形しておく。このことにより、切断部１６の上方と上面被覆層１１の下方の間に空隙部１５を形成する。当該空隙部１５の上方の上面被覆層１１の底部に金属などの導電体からなる導体部１４を、アンテナ部３に接触しないように接着させておく。
【００１８】
こうすることにより、導体部１４の上方に位置する上面被覆層１１の箇所を、ＲＦＩＤカード１の外部から利用者が指などで押圧することにより、当該箇所がアンテナ部３の切断部１６に向かってたわみ、図３に示す通り、湾曲した導体部１４がアンテナ部３の切断部１６を覆うような形で切断部１６を挟んで位置しているアンテナ部３の両端部に接触することにより、アンテナ部３が導通して送受信可能状態となり、当該ＲＦＩＤカードが使用可能状態となる。
なお、導体部１４の上方にあたる上面被覆層１１の表面の箇所は、利用者に適切な押圧場所が容易にわかるように、目印を印刷しておくなどの方法によって明示しておく。
【００１９】
そして、利用者が押圧することを止めれば、図２に示すような押圧前の状態に戻り、導体部１４とアンテナ部３が接触しなくなることから、アンテナ部３が導通しなくなり送受信不能状態となり、当該ＲＦＩＤカードが使用不能状態となる。
【００２０】
アンテナ部３は、図１に示すような略方形の場合ばかりでなく、円形、楕円形などであっても良い。
また、ＲＦＩＤカードを挿入するタイプのリーダライタの場合、一般的に挿入後、カードを動かないようにするロック機構がある。本発明に係るＲＦＩＤカード１に対応するリーダライタの場合、当該ロック機構は、スイッチ部４を押圧してＲＦＩＤカードをロックするとともにアンテナ部３を導通状態とすることによって、当該ＲＦＩＤカードの情報を読み取ったり、又は書き込んだりすることができるようにする。
【実施例２】
【００２１】
図１は、本実施例における本発明に係るＲＦＩＤカード１のＩＣチップ部２、アンテナ部３及びスイッチ部４を表す説明図である。
【００２２】
本発明に係るＲＦＩＤカード１においては、スイッチ部４の下方に位置するアンテナ部３の一部を予め切断して切断部１６を形成する。図４は、本発明に係るＲＦＩＤカードの押圧前のスイッチ部４の断面図である。このように、本実施例では、アンテナ部３の一部が予め切断されて切断部１６を形成しており、当該切断部１６に接するアンテナ部３の両端部がインレット基材１２の下面側に露出されている。
【００２３】
そのために、当該ＲＦＩＤカードは押圧前の状態では、アンテナ部３が導通していないことから送受信不能状態となり、当該ＲＦＩＤカードは使用不能状態となる。
そして、切断部１６の上方の部分にはインレット基材１２を設けないことによってアンテナ部３と上面被覆層１１との間に空隙部１５を形成する。
そして、前記空隙部１５の上方に位置する上面被覆層１１の底部に金属などの導電体からなる導体部１４を、アンテナ部３に接触しないように接着させておく。
【００２４】
こうすることにより、導体部１４の上方に位置する上面被覆層１１の箇所を、ＲＦＩＤカード１の外部から利用者が指などで押圧することにより、当該箇所がアンテナ部３の切断部１６に向かってたわみ、図５に示す通り、湾曲した導体部１４がアンテナ部３の切断部１６を覆うような形で切断部１６を挟んで位置しているアンテナ部３の両端部に接触することにより、アンテナ部３が導通して送受信可能状態となり、当該ＲＦＩＤカードが使用可能状態となる。なお、導体部１４の上方にあたる上面被覆層１１の表面の箇所は、利用者に適切な押圧場所が容易にわかるように、目印を印刷しておくなどの方法によって明示しておく。
【００２５】
そして、利用者が押圧することを止めれば、図４に示すような押圧前の状態に戻り、導体部１４とアンテナ部３が接触しなくなることから、アンテナ部３が導通しなくなり送受信不能状態となり、当該ＲＦＩＤカードが使用不能状態となる。
なお、図４及び図５においては、インレット基材１２がアンテナ部３の上方のみに図示してあるが、上方及び下方、すなわちＩＣチップ部２及びアンテナ部３がインレット基材１２とインレット基材１２の間に設けられている場合でも良い。
【００２６】
上記の実施例においては、実施例１の場合と異なり、上面被覆層１１への空隙部１５の成形加工は不要であるが、これに限定されるものではなく、切断部１６の上方の部分にインレット基材１２を設けないだけでなく、さらに前記切断部１６の上方に位置する上面被覆層１１の部分を薄く成形して空隙部１５を形成して、前記空隙部１５の上方に位置する上面被覆層１１の底部に導体部１４が接着されている場合であっても良い。
【００２７】
アンテナ部３は、図１に示すような略方形の場合ばかりでなく、円形、楕円形などであっても良い。
また、ＲＦＩＤカードを挿入するタイプのリーダライタの場合、一般的に挿入後、カードを動かないようにするロック機構がある。本発明に係るＲＦＩＤカード１に対応するリーダライタの場合、当該ロック機構は、スイッチ部４を押圧してＲＦＩＤカードをロックするとともにアンテナ部３を導通状態とすることによって、当該ＲＦＩＤカードの情報を読み取ったり、又は書き込んだりすることができるようにする。
【実施例３】
【００２８】
図６は、実施例３における本発明に係るＲＦＩＤカード１のＩＣチップ部２、アンテナ部３及びスイッチ部４を表す説明図である。本実施例は、図６に示す通り、ＩＣチップ部２、アンテナ部３及びスイッチ部４が、１枚のＲＦＩＤカード１において２系統を備えている例である。押圧するスイッチ部４が２つあることから、どの箇所のスイッチ部４を押圧するかによって、導通するアンテナ部３が異なることになる。
なお、スイッチ部４の構成は、実施例１又は実施例２におけるものと同じである。
【００２９】
これにより、押圧するスイッチ部４を動作させたい内容によって適宜選択することにより、ＲＦＩＤカード１の動作を変更させることができる。
なお、図６では、ＩＣチップ部２、アンテナ部３及びスイッチ部４が、１枚のＲＦＩＤカードにおいて２系統を備えている例を示しているが、１枚のＲＦＩＤカードにおいて３系統以上を備えている場合であっても良い。
【実施例４】
【００３０】
図７は、実施例４における本発明に係るＲＦＩＤカード１のＩＣチップ部２、アンテナ部３及びスイッチ部４を表す説明図である。本実施例は、図７に示す通り、ＩＣチップ部２を１つ、アンテナ部３を２つ、スイッチ部４を２つ備えている例である。押圧するスイッチ部４が２つあることから、どの箇所のスイッチ部４を押圧するかによって、導通するアンテナ部３が異なることになる。
なお、スイッチ部４の構成は、実施例１又は実施例２におけるものと同じである。
【００３１】
従って、ＩＣチップ部２の内部に設けられた通信可能アンテナ判定部が、スイッチ部４が押圧されたことによって、導通して通信可能となったアンテナ部３がどのアンテナ部３かを判定することによって、ＲＦＩＤカード１の動作を変更する。即ち、ＩＣチップ部２に起電力が発生したアンテナ部３を判定させ、それに応じてＲＦＩＤカード１の動作モードを切り替えられるように構成したものである。
なお、図７では、１つのＩＣチップ部２に対してアンテナ部３及びスイッチ部４が各々２つ備えている例を示しているが、１つのＩＣチップ部２に対してアンテナ部３及びスイッチ部４が各々３つ以上備えている場合であっても良い。
【図面の簡単な説明】
【００３２】
【図１】実施例１及び２における本発明に係るＲＦＩＤカード１のＩＣチップ部２、アンテナ部３及びスイッチ部４を表す説明図である。
【図２】実施例１における本発明に係るＲＦＩＤカード１の押圧前のスイッチ部４の断面図である。
【図３】実施例１における本発明に係るＲＦＩＤカード１の押圧後のスイッチ部４の断面図である。
【図４】実施例２における本発明に係るＲＦＩＤカード１の押圧前のスイッチ部４の断面図である。
【図５】実施例２における本発明に係るＲＦＩＤカード１の押圧後のスイッチ部４の断面図である。
【図６】実施例３における本発明に係るＲＦＩＤカード１のＩＣチップ部２、アンテナ部３及びスイッチ部４を表す説明図である。
【図７】実施例４における本発明に係るＲＦＩＤカード１のＩＣチップ部２、アンテナ部３及びスイッチ部４を表す説明図である。
【符号の説明】
【００３３】
１  ＲＦＩＤカード
２  ＩＣチップ部
３  アンテナ部
４  スイッチ部
１１  上面被覆層
１２  インレット基材
１３  下面被覆層
１４  導体部
１５  空隙部
１６  切断部
【図１】
2009098831.tif 000003
【図２】
2009098831.tif 000004
【図３】
2009098831.tif 000005
【図４】
2009098831.tif 000006
【図５】
2009098831.tif 000007
【図６】
2009098831.tif 000008
【図７】
2009098831.tif 000009